(57)【要約】【課題】表示装置をスタンド部材も含めてそのまま利用しつつ、天板での作業領域を確保できる表示装置付き机、および机を提供する。【解決手段】スタンド部材１２およびスタンド部材に支持されるディスプレイ部１１を備えた表示装置１０が設置される表示装置付き机１である。ディスプレイ部が配置される天板２１と、天板の下方に設けられ、スタンド部材を載置する台座３０と、天板の端面に設けられ、台座に載置されたスタンド部材を挿通させる切欠き２２とを有する。【選択図】図１
2017042505.tif 000002
【特許請求の範囲】
【請求項１】
スタンド部材および該スタンド部材に支持されるディスプレイ部を備えた表示装置が設置される表示装置付き机であって、
前記ディスプレイ部が配置される天板と、
該天板の下方に設けられ、前記スタンド部材を載置する台座と、
前記天板の端面に設けられ、前記台座に載置された前記スタンド部材を挿通させる切欠きとを有することを特徴とする表示装置付き机。
【請求項２】
前記台座が、前記天板からの距離を変更可能に設けられていることを特徴とする請求項１に記載の表示装置付き机。
【請求項３】
前記天板を支持する脚と、隣り合う該脚の間に設けられ、前記天板と前記脚を固定する幕板とをさらに有し、前記台座が、前記脚および／または前記幕板に支持されていることを特徴とする請求項１または２に記載の表示装置付き机。
【請求項４】
スタンド部材および該スタンド部材に支持されるディスプレイ部を備えた表示装置が設置可能な机であって、
前記ディスプレイ部が配置可能な天板と、
該天板の下方に設けられ、前記スタンド部材を載置可能な台座と、
前記天板の端面に設けられ、前記台座に載置された前記スタンド部材を挿通させる切欠きとを有することを特徴とする机。
【発明の詳細な説明】
【技術分野】
【０００１】
本発明は、表示装置付き机、および机に関し、詳細には、スタンド部材およびスタンド部材に支持されるディスプレイ部を備えた表示装置が設置される表示装置付き机、および机に関する。
【背景技術】
【０００２】
教育環境自体のＩＴ（Information Technology）化に関し、政府案では、１人１台の情報端末配備、学校の高速ブロードバンド接続、電子黒板や無線ＬＡＮ環境の整備、デジタル教科書・教材の活用等、初等教育段階から教育環境自体のＩＴ化を進め、児童生徒等の学力の向上とＩＴリテラシーの向上を図ることが検討されている。これらの取り組みにより、２０１０年代中には、すべての小学校、中学校、高等学校、特別支援学校で教育環境のＩＴ化の実現を図る。
【０００３】
教育環境のＩＴ化を実現させるために、表示装置付きの学習机があるが、表示装置に付属のスタンド部材が机の天板に設置されると、天板での作業領域が狭くなる場合がある。例えば、特許文献１には、スタンド部材を用いずに表示装置を机に設置する技術が開示されている。なお、特許文献２には、表示装置を机に固定する技術が開示されている。
【先行技術文献】
【特許文献】
【０００４】
【特許文献１】特許第４２８１９５２号公報
【特許文献２】特開２０１２−２３５４３３号公報
【発明の概要】
【発明が解決しようとする課題】
【０００５】
しかしながら、上記特許文献１ではスタンド部材を用いないので、表示装置をスタンド部材も含めてそのまま利用することができない。また、上記特許文献２では、表示装置の取り付け機構が机の天板に設置されることから、やはり天板での作業領域が狭くなるという問題がある。
【０００６】
本発明は、上述のような実情に鑑みてなされたもので、表示装置をスタンド部材も含めてそのまま利用しつつ、天板での作業領域を確保できる表示装置付き机、および机を提供することを目的とする。
【課題を解決するための手段】
【０００７】
上記課題を解決するために、本発明の第１の技術手段は、スタンド部材および該スタンド部材に支持されるディスプレイ部を備えた表示装置が設置される表示装置付き机であって、前記ディスプレイ部が配置される天板と、該天板の下方に設けられ、前記スタンド部材を載置する台座と、前記天板の端面に設けられ、前記台座に載置された前記スタンド部材を挿通させる切欠きとを有することを特徴としたものである。
【０００８】
第２の技術手段は、第１の技術手段において、前記台座が、前記天板からの距離を変更可能に設けられていることを特徴としたものである。
【０００９】
第３の技術手段は、第１または第２の技術手段において、前記天板を支持する脚と、隣り合う該脚の間に設けられ、前記天板と前記脚を固定する幕板とをさらに有し、前記台座が、前記脚および／または前記幕板に支持されていることを特徴としたものである。
【００１０】
第４の技術手段は、スタンド部材および該スタンド部材に支持されるディスプレイ部を備えた表示装置が設置可能な机であって、前記ディスプレイ部が配置可能な天板と、該天板の下方に設けられ、前記スタンド部材を載置可能な台座と、前記天板の端面に設けられ、前記台座に載置された前記スタンド部材を挿通させる切欠きとを有することを特徴としたものである。
【発明の効果】
【００１１】
本発明によれば、スタンド部材が、天板に載置されず、天板の下方に位置した台座に載置されるので、表示装置をスタンド部材も含めてそのまま利用できると共に、天板での作業領域を確保することができる。
【図面の簡単な説明】
【００１２】
【図１】本発明の第１実施形態による表示装置付き机の外観構成図である。
【図２】図１の表示装置および机の斜視図である。
【図３】第２，３実施形態による机の斜視図である。
【図４】（Ａ）は第４実施形態による机の斜視図、（Ｂ）は図４（Ａ）のＢ−Ｂ線矢視断面図である。
【図５】図４の机の拡大図である。
【発明を実施するための形態】
【００１３】
（第１実施形態）
図１は、本発明の第１実施形態による表示装置付き机の外観構成図であり、図２は、図１の表示装置および机の斜視図である。
図１に示すように、表示装置付き机１は、例えば学習用に利用可能であり、表示装置１０と机２０を組み合わせて構成されている。表示装置１０は、例えば液晶のＦＰＤ（Flat Panel Display）で構成されたディスプレイ部１１を有し、図１（Ａ）を背面から見た図１（Ｂ）に示すように、ディスプレイ部１１は、その中央位置でスタンド部材１２に支持されている。
【００１４】
図１（Ａ）に示すように、机２０は、例えば矩形状に形成された机上面をなす天板２１を有しており、ディスプレイ部１１は、天板２１の例えば後寄りで、天板２１に対して垂直に配置されている。これにより、視聴者は、机１の前側でディスプレイ部１１を見ながら、ディスプレイ部１１の手前の天板２１の上面で作業をすることができる。なお、ディスプレイ部を天板の後寄りに配置した例で説明したが、天板の側方に配置してもよい。
【００１５】
天板２１の下面には、天板を支持する例えば４本の脚が設けられている。詳しくは、机１に向かって左手前に位置する前脚２３、左奥に位置する後脚２５、右手前に位置する前脚２４、右奥に位置する後脚２６からなり、各脚２３〜２６は例えば角柱状に形成され、天板２１の例えば下面の四隅にネジで固定されている。なお、前脚２３、前脚２４、後脚２５、後脚２６が本発明の脚に相当する。
【００１６】
また、机１に向かって左側に位置する前脚２３と後脚２５の間には、左側の幕板２８が設けられ、右側に位置する前脚２４と後脚２６の間には、右側の幕板２９が設けられている。幕板２８は前後の脚２３，２５と天板２１を固定し、幕板２９は前後の脚２４，２６と天板２１を固定する。なお、机１の前側からは、前脚２３，２４の間に、引き出し２７が見えている。
【００１７】
図２（Ａ）に示すように、スタンド部材１２は、スタンド部１２ａ、支柱部１２ｂからなる。スタンド部１２ａは、例えば矩形の平板状に形成され、その長手方向がディスプレイ部１１の幅方向に沿って延びている。支柱部１２ｂは、スタンド部１２ａの中央位置から上方に向けて延びており、その上端がディスプレイ部１１の背面に例えばネジで固定されている。これにより、ディスプレイ部１１はスタンド部材１２に支持されて立設される。
【００１８】
図２（Ｂ）に示すように、天板２１の例えば後寄りの下方には、台座３０が設けられている。台座３０は、例えば矩形状に形成され、後脚２５から後脚２６に達する程度の幅を有すると共に、図２（Ａ）で説明したスタンド部１２ａを載置可能な奥行や表示装置を支持可能な厚みを有している。より詳しくは、机に向かって左側に位置する台座３０の左端は、後脚２５および幕板２８に支持され、右側に位置する台座３０の右端は、後脚２６および幕板２９に支持されており、台座３０は前脚２３，２４には支持されていない。これにより、台座を前後の脚に支持させる場合に比べて、台座の奥行が小さくて済むので、天板の下方空間が狭くならない。
【００１９】
ここで、図２（Ｂ）に示すように、天板２１の後端面２１ａには、切欠き２２が形成されている。なお、後端面２１ａが本発明の端面に相当する。
切欠き２２は、天板２１の上面と下面とを貫通して例えば矩形状に形成されており、台座３０に載置されたスタンド部材１２を挿通可能である。具体的には、スタンド部１２ａを台座３０に載置し、支柱部１２ｂを切欠き２２内に配置すれば、支柱部１２ｂは天板２１の下方から切欠き２２を通して天板２１の上方に向けて延びているので、ディスプレイ部１１を天板２１に配置できる。
【００２０】
このように、スタンド部材１２が、天板２１に載置されず、天板２１の下方に位置した台座３０に載置されるので、表示装置１０をスタンド部材１２も含めてそのまま利用できると共に、ディスプレイ部１１の手前側の天板２１での作業領域を確保できる。
なお、この実施形態で説明したように、スタンド部１２ａを細長い形状にし、ディスプレイ部１１の幅方向に沿って配置すれば、スタンド部１２ａが台座３０よりも後方に突出し難くなるため、表示装置１０や机１を後方の壁（図示省略）まで寄せることができる。
【００２１】
（第２，３実施形態）
上記実施形態では、切欠きが１個の例を挙げて説明したが、本発明はこの形態に限定されない。図３は、第２，３実施形態による机の斜視図であり、表示装置が仮に２本の支柱部を要する場合には、図３（Ａ）に示すように、その支柱部の位置に合わせて２個の切欠き２２ａ，２２ｂを天板２１の後端面２１ａに設けてもよい。あるいは、図３（Ｂ）に示すように、机の幅方向に沿って長い１個の切欠き２２ｃを天板２１の後端面２１ａに設けることも可能である。
【００２２】
（第４実施形態）
図４（Ａ）は第４実施形態による机の斜視図、図４（Ｂ）は図４（Ａ）のＢ−Ｂ線矢視断面図であり、図５は、図４の机の拡大図である。
この実施形態では、台座の位置が変更可能である。詳しくは、図４（Ａ）に示すように、台座３０や切欠き２２は第１実施形態と同じであるが、幕板２８，２９が第１実施形態よりも下方に長く形成されている。
【００２３】
図５に示すように、後脚２６および幕板２９には、水平方向に穿設された第１孔３１がそれぞれ形成され、第１孔３１にはピン部材３４を差し込み可能である。ピン部材３４は小径部３４ａと、大径部３４ｂとからなり、小径部３４ａの外径は第１孔３１の孔径よりも若干大きく形成されている。これにより、ピン部材３４の小径部３４ａを第１孔３１に嵌合させ、図４（Ｂ）に示すように、ピン部材３４の大径部３４ｂで台座３０の下面を支持すれば、台座３０の位置が決まる。なお、図４（Ａ）に示した後脚２５および幕板２８にも同様に、第１孔が形成され、ピン部材が設置されている。
【００２４】
ここで、図４（Ｂ），図５に示すように、後脚２６および幕板２９には、第１孔３１の下方に１組の第２孔３２が設けられ、この第２孔３２の下方にも１組の第３孔３３が設けられている。なお、図４（Ａ）に示した後脚２５および幕板２８にも同様に、第２，３孔が形成されている。
よって、例えばスタンド部材の支柱部が長い場合には、図５で説明したピン部材３４の差し込み位置を第１孔３１から第３孔３３に変更すれば、台座３０を天板２１から下方に離れた位置に変更できる。
【００２５】
また、例えばディスプレイ部の下部に冷却用の吸気口が設けられており、この吸気口と天板２１の上面との距離を確保したい場合、ピン部材３４の差し込み位置を第３孔３３から第２孔３２に変更すれば、台座３０と天板２１との距離を短くして、天板２１とディスプレイ部との距離を容易に確保できる。
このように、台座３０の位置が机の高さ方向で調整可能になるため、スタンド部材１２を含む表示装置１０をより一層利用しやすくなる。
【００２６】
なお、台座は、ピン部材に替えて、例えば脚や幕板に形成された溝に差し込むことにより支持されてもよい。また、台座は脚だけあるいは幕板だけに支持されていてもよい。
また、図示の例では、ディスプレイ部は、天板に対して垂直になるように設置されているが、この構成に限定されることなく、ディスプレイ部が天板に対して斜めになるように配置されていてもよい。また、ディスプレイ部と天板との角度が変更可能なチルト機構を設けて、適宜天板とディスプレイ部との角度を設定できるようにしてもよい。
【符号の説明】
【００２７】
１…表示装置付き机、１０…表示装置、１１…ディスプレイ部、１２…スタンド部材、１２ａ…スタンド部、１２ｂ…支柱部、２０…机、２１…天板、２１ａ…後端面、２２，２２ａ，２２ｂ，２２ｃ…切欠き、２３〜２６…脚、２７…前板、２８，２９…幕板、３０…台座、３１…第１孔、３２…第２孔、３３…第３孔、３４…ピン部材、３４ａ…小径部、３４ｂ…大径部。
【図１】
2017042505.tif 000003
【図２】
2017042505.tif 000004
【図３】
2017042505.tif 000005
【図４】
2017042505.tif 000006
【図５】
2017042505.tif 000007